(57)【要約】 【課題】  バッテリーポストに装着する作業性を向上させるために、ネジ部材を鉛直方向に締付けることができるバッテリーターミナルを提供することを目的とする。【解決手段】  バッテリーターミナル１は、バッテリーケーブルＢＣに接続されるケーブル接続部２１、バッテリーポストＢＰに装着される締付部２２、締付部２２の外部に水平に拡がった底面部２３、および底面部２３の上方に対向して配置された上方部２４を備えている。上方部２４に形成された締付孔２４２ａに締付ボルト３を挿通した後、底面部２３の雌ネジ孔２３１ａに螺合させて締め付けることにより、上方部２４に形成されたカム面２４４ａ、２４４ｂを下降させ、これと係合した締付部２２を締付けて縮径させることにより、バッテリーポストＢＰに装着する。【選択図】  図６
2005183027.tif 000002
【特許請求の範囲】
【請求項１】
バッテリーケーブルが接続されるケーブル接続部と、
前記ケーブル接続部に連結されるとともに、円周上の一箇所に開口部が設けられた円環状の締付部を有し、
バッテリーポストを前記締付部に挿入した後、前記締付部が半径方向内方に縮径されて、前記バッテリーポストに装着されるバッテリーターミナルにおいて、
前記締付部と連結し、前記締付部の外部に水平方向に拡がった底面部と、前記締付部と連結し、前記締付部の外部に延在するとともに、前記底面部の上方に対向して配置された上方部が形成され、
前記底面部には雄ネジ部材および雌ネジ部材のうちのいずれかが固着されるとともに、前記上方部には前記雄ネジ部材が挿通される締付孔が形成され、また、前記締付部および上方部のうちの一側にはカム面が形成されるとともに、前記締付部および上方部のうちの他側には前記カム面と係合するカム係合部が形成され、このカム係合部が前記カム面上を上下方向に相対移動するにつれて、前記カム面およびカム係合部のうちのいずれかが水平方向に変位して前記締付部を縮径させるように構成され、
前記雄ネジ部材を前記上方部に形成された締付孔に挿通した後、前記雌ネジ部材に対して螺合させて、前記上方部を押圧して前記締付部に対して下降させ、前記カム係合部と前記カム面が互いに係合しながら上下方向に相対移動して、縮径された前記締付部が前記バッテリーポストに対して締付けられることにより装着されることを特徴とするバッテリーターミナル。
【請求項２】
前記カム面は、前記締付部の上端部に対して垂下するように前記上方部に形成され、前記カム係合部は前記カム面に下方から係合するように、前記締付部の上端面に形成されたことを特徴とする請求項１記載のバッテリーターミナル。
【請求項３】
前記カム面は前記上方部において一対に形成され、前記締付部の上端部において、その円周上の対向する２箇所に係合することを特徴とする請求項２記載のバッテリーターミナル。
【発明の詳細な説明】
【技術分野】
【０００１】
本発明は、バッテリーのバッテリーポストに取り付けられるバッテリーターミナルに関する。
【背景技術】
【０００２】
従来からバッテリーの電極であるバッテリーポストに取り付けられるバッテリーターミナルとして、バッテリーポストに導電性の円弧部を嵌合させ、その円弧部の端部に連結した一対の締付片に締付ボルトを挿通させた後、ナットを螺合させ、締付ボルトをナットに対して締付けることにより、バッテリーポストに装着されるものがあった（例えば、特許文献１参照）。
【０００３】
上述した従来技術においては、バッテリーポストへ装着する場合、締付ボルトを水平方向に締付ける必要がある。近年の自動車のエンジンルーム内は、様々な部品が密集して取り付けられており、締付ボルトを水平方向に締付けることは、他部品との干渉の問題から困難をともなう。それに対して、エンジンルームの上方は、ボルトの締付作業を妨げるものが少なく、バッテリーターミナルをバッテリーポストに装着する作業性を向上させるために、ボルトを水平方向に代えて鉛直方向に締付けるほうがよい場合が多い。
【特許文献１】実開昭５５−１２４１７３号公報（第４図）
【発明の開示】
【発明が解決しようとする課題】
【０００４】
本発明は上記のような事情に基づいて完成されたものであって、バッテリーポストに装着する作業性を向上させるために、ネジ部材を鉛直方向に締付けることができるバッテリーターミナルを提供することを目的とする。
【課題を解決するための手段】
【０００５】
上記の目的を達成するための手段として、請求項１の発明は、バッテリーケーブルが接続されるケーブル接続部と、前記ケーブル接続部に連結されるとともに、円周上の一箇所に開口部が設けられた円環状の締付部を有し、バッテリーポストを前記締付部に挿入した後、前記締付部が半径方向内方に縮径されて、前記バッテリーポストに装着されるバッテリーターミナルにおいて、前記締付部と連結し、前記締付部の外部に水平方向に拡がった底面部と、前記締付部と連結し、前記締付部の外部に延在するとともに、前記底面部の上方に対向して配置された上方部が形成され、前記底面部には雄ネジ部材および雌ネジ部材のうちのいずれかが固着されるとともに、前記上方部には前記雄ネジ部材が挿通される締付孔が形成され、また、前記締付部および上方部のうちの一側にはカム面が形成されるとともに、前記締付部および上方部のうちの他側には前記カム面と係合するカム係合部が形成され、このカム係合部が前記カム面上を上下方向に相対移動するにつれて、前記カム面およびカム係合部のうちのいずれかが水平方向に変位して前記締付部を縮径させるように構成され、前記雄ネジ部材を前記上方部に形成された締付孔に挿通した後、前記雌ネジ部材に対して螺合させて、前記上方部を押圧して前記締付部に対して下降させ、前記カム係合部と前記カム面が互いに係合しながら上下方向に相対移動して、縮径された前記締付部が前記バッテリーポストに対して締付けられることにより装着されることを特徴とするバッテリーターミナルとした。
【０００６】
請求項２の発明は、前記カム面は、前記締付部の上端部に対して垂下するように前記上方部に形成され、前記カム係合部は前記カム面に下方から係合するように、前記締付部の上端面に形成されたことを特徴とする請求項１記載のバッテリーターミナルとした。
【０００７】
請求項３の発明は、前記カム面は前記上方部において一対に形成され、前記締付部の上端部において、その円周上の対向する２箇所に係合することを特徴とする請求項２記載のバッテリーターミナルとした。
【発明の効果】
【０００８】
＜請求項１の発明＞
雄ネジ部材を上方部に形成された締付孔に挿通した後、雌ネジ部材に対して螺合させて、上方部を押圧して締付部に対して下降させ、カム係合部とカム面が互いに係合しながら上下方向に相対移動して、縮径された締付部がバッテリーポストに対して締付けられることにより装着されるバッテリーターミナルとしたため、ネジ部材を鉛直方向に締付けることができ、バッテリーポストに装着する作業性を向上させることができる。また、ケーブル接続部、締付部、底面部および上方部が互いに連結されて一体に形成されているため、バッテリーポストへの搭載が容易で、装着時の作業性を向上させることができる。
【０００９】
＜請求項２の発明＞
カム面は、締付部の上端部に対して垂下するように上方部に形成され、カム係合部はカム面に下方から係合するように、締付部の上端面に形成されたことにより、水平方向にコンパクトなバッテリーターミナルにすることができる。
【００１０】
＜請求項３の発明＞
カム面は上方部において一対に形成され、締付部の上端部において、その円周上の対向する２箇所に係合することにより、上方部が下降して、締付部が円周上の対向する方向から挟むように締付けられ、バッテリーポストに確実に装着されることができる。
【発明を実施するための最良の形態】
【００１１】
本発明の実施形態を図１乃至図１４によって説明する。本実施形態によるバッテリーターミナル１は、導電性を備えた金属材料にて形成されたターミナル部材２と、本発明の雄ネジ部材に該当し、ターミナル部材２に鉛直方向に締付けられる締付ボルト３によって構成されている。ターミナル部材２は、可能であれば１枚の金属板をプレス加工で絞ることにより形成してもよいし、あるいは複数の金属板をリベット、溶接またはロウ付けすることにより一体に形成してもよい。
【００１２】
図１に示すように、ターミナル部材２は、機能的にはケーブル接続部２１、締付部２２、底面部２３および上方部２４とに分けられる。ケーブル接続部２１には、バッテリーケーブルＢＣの芯線ＣＷにかしめられる耳状のケーブルバレル２１１が形成され、その内周面には、芯線ＣＷのすべりを防止するためにローレット２１２が設けられている（図２示）。ケーブル接続部２１には底面部２３が一体に連結しており、底面部２３は後述する締付部２２の外部に水平方向に拡がっている。底面部２３には、その下方からバーリング加工が施されることにより、本発明の雌ネジ部材に該当する円筒状の雌ネジ部２３１が形成され、その内周面には上述した締付ボルト３が螺合する雌ネジ孔２３１ａが上下に貫通している。図５に示すように、底面部２３は締付部２２の内方には延びておらず、バッテリーＢＴのバッテリーポストＢＰが挿入可能なように、締付部２２の下端部は開放されている。
【００１３】
締付部２２は、円周上の１箇所に開口部２２１を有した円環状に形成されるとともに、バネ性を備えており、半径方向内方に縮径可能とされている。締付部２２は、バッテリーポストＢＰを挿入した後、開口部２２１を形成する一対の端部２２２ａ、２２２ｂが互いに近づくように、その外周面が締付けられて縮径されることにより、バッテリーポストＢＰに装着される（図３示）。図２に示すように、円環状の締付部２２は、バッテリーポストＢＰの外周面形状に対応してテーパー状に形成されており、その内径はその自由状態（自然状態）において、バッテリーポストＢＰの外径よりも若干大きく形成されている。
【００１４】
締付部２２には、開口部２２１を形成する端部２２２ａ、２２２ｂと連結するように、互いに対向した一対の立壁２２３ａ、２２３ｂが備えられている。立壁２２３ａ、２２３ｂは、その下端部においてそれぞれ底面部２３と一体に接続され、雌ネジ部２３１を挟んで対面している。また、図３において、それぞれの立壁２２３ａ、２２３ｂの右方には、立壁２２３ａ、２２３ｂよりも低い板材で形成された連結部２２４ａ、２２４ｂが一体に設けられ、締付部２２は、連結部２２４ａ、２２４ｂを介して、ケーブル接続部２１にも連結されている。立壁２２３ａ、２２３ｂは、締付部２２が締め付けられる時、開口部２２１を形成する端部２２２ａ、２２２ｂとともに、互いに近づくように撓み可能に形成されている。また、締付部２２の外周面２２５の上端部２２６は、後述するカム面２４４ａ、２４４ｂと係合可能とされている。
【００１５】
図１において、締付部２２の下端部左方からは、上方部２４を構成する基体２４１が締付部２２の外部に延び、上昇した後、締付部２２の上方を越えるように右方に延在している。基体２４１は、絞り加工により、１枚の金属板にて締付部２２と一体に形成されてもよいし、締付部２２の下端部左方において、リベット、溶接あるいはロウ付け等により締付部２２に結合された構成にしてもよい。
【００１６】
基体２４１の締付部２２の上方に延びた部位の先端部（図１において右端部）には、締付ボルト３を締め付ける時のボルト座面２４２が一体に連結されている。ボルト座面２４２は、基体２４１の締付部２２の上方に延在した部位よりも、一段低い位置に形成され、上述した底面部２３の雌ネジ部２３１の真上に、底面部２３に対向して水平に配置されている。また、ボルト座面２４２には、締付ボルト３が挿通されるために、締付ボルト３の外径よりも大きい径で、上下方向に貫通した締付孔２４２ａが設けられている。締付孔２４２ａに挿通された締付ボルト３を、底面部２３の雌ネジ孔２３１ａに螺合させて締め付けることにより、ボルト座面２４２と一体に形成された基体２４１の、締付部２２の上方に延びた部位が下方に撓み可能とされている。
【００１７】
図３に示すように、基体２４１は、締付部２２の上方に位置する部位において、円環状の締付部２２の全体を覆うように水平方向に拡がっており、その側端部からは、締付部２２の外周面２２５の上端部２２６（本発明のカム係合部に該当する）に対し、互いに対向する一対のカム板２４３ａ、２４３ｂが垂下されている。図２に示すように、それぞれのカム板２４３ａ、２４３ｂの互いに対向する面には、下方に行くにつれて半径方向外方に傾いたカム面２４４ａ、２４４ｂが設けられており、これには上述した締付部２２の外周面２２５の上端部２２６（図に示すように、厳密には上端部２２６の外周側の角部）が、その円周上の対向する２箇所において下方から係合している。カム面２４４ａ、２４４ｂの形状は、カム板２４３ａ、２４３ｂを内側に絞ることにより形成されている。後述するように、締付部２２の外周面２２５の上端部２２６は、カム面２４４ａ、２４４ｂ上を係合しながら上下方向に相対移動するにつれて、水平方向に変位して締付部２２を縮径させる。
【００１８】
次に、図６乃至図１４に基づいて、本実施形態によるバッテリーターミナル１の、バッテリーポストＢＰへの装着方法について説明する。まず、図６に示すバッテリーケーブルＢＣの芯線ＣＷに、ケーブル接続部２１のケーブルバレル２１１をかしめて、バッテリーターミナル１にバッテリーケーブルＢＣを接続する。次に、ボルト座面２４２の締付孔２４２ａに締付ボルト３を挿通させた後、底面部２３の雌ネジ孔２３１ａに、ボルト座面２４２が下降しない程度に螺合させる（図７および図８示）。
【００１９】
その後、図９および図１０に示すように、締付部２２の内周面にバッテリーＢＴのバッテリーポストＢＰが下方から挿入されるように、締付部２２をバッテリーポストＢＰに被せる。上述したように、締付部２２の内径はバッテリーポストＢＰの外径よりも若干大きく形成されているため、締付部２２をバッテリーポストＢＰの下端部までたやすく被せることができる。また、この場合、締付部２２をバッテリーポストＢＰに被せた後に、締付ボルト３を締付孔２４２ａに挿通させ、雌ネジ孔２３１ａに螺合させてもよい。
【００２０】
次に、図１１および図１２に示すように、締付ボルト３を底面部２３の雌ネジ孔２３１ａに対して締付けていく。これにより、ボルト座面２４２が締付ボルト３の頭部によって下方に押圧されて、底面部２３に近づいていく。従って、ボルト座面２４２と一体に連結された基体２４１のうち、その締付部２２の上方に水平に延びている部位が、ボルト座面２４２とともに締付部２２に対して下方に撓み、基体２４１に形成された一対のカム板２４３ａ、２４３ｂも下方に移動する。
【００２１】
このため、図１３および図１４に示すように、カム板２４３ａ、２４３ｂに形成されたカム面２４４ａ、２４４ｂが、それに上下方向に係合した締付部２２の外周面２２５の上端部２２６に対して下方に移動し、これを押圧していく。従って、円環状の締付部２２は、下降するカム面２４４ａ、２４４ｂの形状に導かれて、半径方向内方に縮径され、バッテリーポストＢＰに対し締め付けられ装着される。
【００２２】
本実施形態によれば、締付ボルト３を上方部に形成された締付孔２４２ａに挿通した後、雌ネジ孔２３１ａに対して螺合させることにより、上方部２４を押圧して締付部２２に対して下降させ、締付部２２の外周面２２５の上端部２２６とカム面２４４ａ、２４４ｂとが、互いに係合しながら上下方向に相対移動して締付部２２を縮径させ、バッテリーポストＢＰに対して締付けられて装着されるため、締付ボルト３を鉛直方向に締付けることができ、バッテリーポストＢＰに装着する作業性を向上させることができる。また、ケーブル接続部２１、締付部２２、底面部２３および上方部２４が互いに連結されて、ターミナル部材２が一体に形成されているため、バッテリーポストＢＰへの搭載が容易で、装着時の作業性を向上させることができる。
【００２３】
カム面２４４ａ、２４４ｂは、締付部２２の外周面２２５の上端部２２６に対して垂下するように上方部２４に形成され、締付部２２の外周面２２５の上端部２２６が、カム面２４４ａ、２４４ｂに下方から係合することにより、水平方向にコンパクトなバッテリーターミナル１にすることができる。また、カム面２４４ａ、２４４ｂは、締付部２２の外周面２２５の上端部２２６において、その円周上の対向する２箇所に係合するように、上方部２４において一対に形成されたことにより、上方部２４が下降して、締付部２２の円周上の２箇所を、対向する方向から挟むように締付け、バッテリーポストＢＰに確実に装着することができる。
【００２４】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）締付ボルトを底面部の上面に立設して、その先端部を上方部の締付孔に挿通させて上面から突出させた後、雌ネジ部材を締付ボルトに螺合させて締め付けるようにしてもよい。
（２）ケーブル接続部は、バッテリーケーブルの芯線にかしめられたケーブル端子に、ケーブルボルトを挿通させてナットで締付けて接続する構成にしてもよい。
（３）締付部にカム面を形成し、上方部にカム係合部を形成して、カム面上をカム係合部が下方に移動することにより、カム面が水平方向に変位して締付部を縮径させるようにしてもよい。
（４）カム面は、カム係合部と係合して締付部を縮径するものであれば、任意の形状が適用可能である。
（５）本発明によるバッテリーターミナルは、車両用バッテリー、家庭用バッテリーあるいは産業用バッテリー等の、あらゆる用途のバッテリーに装着可能である。
【図面の簡単な説明】
【００２５】
【図１】本実施形態によるバッテリーターミナルの正面図である。
【図２】図１に示したバッテリーターミナルの右側面図である。
【図３】図１に示したバッテリーターミナルの平面図である。
【図４】図３に示したバッテリーターミナルから、締付ボルトを取り外したところを示す平面図である。
【図５】図１に示したバッテリーターミナルのＡ−Ａ断面図である。
【図６】バッテリーターミナルのバッテリーポストへの装着方法を説明する分解図である。
【図７】ケーブル接続部にバッテリーケーブルを接続したところを示す正面図である。
【図８】図７に示したバッテリーターミナルの右側面図である。
【図９】締付部をバッテリーポストに被せた後、締付ボルトを締め付ける前の状態を示す正面図である。
【図１０】図９の右側面図である。
【図１１】締付ボルトを雌ネジ孔に締め付けた状態を示す正面図である。
【図１２】図１１の右側面図である。
【図１３】締付部が縮径されるところを説明するための側面図であって、縮径される前の状態を示す図（Ａ）、および縮径された状態を示す図（Ｂ）である。
【図１４】図１３（Ａ）の平面図（Ａ）、および図１３（Ｂ）の平面図（Ｂ）である。
【符号の説明】
【００２６】
１…バッテリーターミナル
３…締付ボルト
２１…ケーブル接続部
２２…締付部
２３…底面部
２４…上方部
２２１…開口部
２２５…締付部の外周面
２２６…外周面の上端部
２３１…雌ネジ部
２４２ａ…締付孔
２４４ａ、２４４ｂ…カム面
ＢＣ…バッテリーケーブル
ＢＰ…バッテリーポスト
ＢＴ…バッテリー
【図１】
2005183027.tif 000003
【図２】
2005183027.tif 000004
【図３】
2005183027.tif 000005
【図４】
2005183027.tif 000006
【図５】
2005183027.tif 000007
【図６】
2005183027.tif 000008
【図７】
2005183027.tif 000009
【図８】
2005183027.tif 000010
【図９】
2005183027.tif 000011
【図１０】
2005183027.tif 000012
【図１１】
2005183027.tif 000013
【図１２】
2005183027.tif 000014
【図１３】
2005183027.tif 000015
【図１４】
2005183027.tif 000016